(57)【要約】【課題】  ハーフトーンイメージデータがハードコピーとして印刷されるときの差分グロスイメージの制御方法を提供する。【解決手段】  対象のイメージ７００を主要領域７０５とセグメント領域７１０とに分割し、単一の色を選択し、第１の異方性構造配向を有する第１のハーフトーンを選択し、前記単一の色及び第１のハーフトーンで構成された第１の色定義を作成し、第１のハーフトーンの異方性構造配向とは異なる第２の異方性構造配向を有する第２のハーフトーンを選択し、前記単一の色及び前記第２のハーフトーンで構成された第２の色定義を作成し、第１の色定義をセグメント領域の少なくともある部分に適用し、第２の色定義をセグメント領域の残りの部分に適用して、可変データ差分グロスイメージ７４０を生成する。【選択図】      図７
2006101514.tif 000002
【特許請求の範囲】
【請求項１】
可変データ差分グロスイメージ制御方法であって、
単一の色を選択し、
第１の異方性構造配向を有する第１のハーフトーンを選択し、
前記単一の色及び前記第１のハーフトーンで構成された第１の色定義を作成し、
前記第１のハーフトーンの異方性構造配向とは異なる第２の異方性構造配向を有する第２のハーフトーンを選択し、
前記単一の色及び前記第２のハーフトーンで構成された第２の色定義を作成し、
前記第１の色定義を、対象のイメージの少なくともある部分に適用し、
前記第２の色定義を、前記対象のイメージの残りの部分に適用して、可変データ差分グロスイメージを生成する、
ことを特徴とする方法。
【請求項２】
可変データ差分グロスイメージ制御方法であって、
対象のイメージを主要領域とセグメント領域とに分割し、
単一の色を選択し、
第１の異方性構造配向を有する第１のハーフトーンを選択し、
前記単一の色及び前記第１のハーフトーンで構成された第１の色定義を作成し、
前記第１のハーフトーンの異方性構造配向とは異なる第２の異方性構造配向を有する第２のハーフトーンを選択し、
前記単一の色及び前記第２のハーフトーンで構成された第２の色定義を作成し、
前記第１の色定義を、前記セグメント領域の少なくともある部分に適用し、
前記第２の色定義を、前記セグメント領域の残りの部分に適用して、可変データ差分グロスイメージを生成する、
ことを特徴とする方法。
【請求項３】
可変データ差分グロスイメージ制御方法であって、
対象のイメージを主要領域と可変データのためのセグメント領域とに分割し、
単一の色を選択し、
第１の異方性構造配向を有する第１のハーフトーンを選択し、
前記単一の色及び前記第１のハーフトーンで構成されたバックグラウンドの色定義を作成し、
前記第１のハーフトーンの異方性構造配向とは異なる第２の異方性構造配向を有する第２のハーフトーンを選択し、
前記単一の色及び前記第２のハーフトーンで構成されたフォアグラウンドの色定義を作成し、
前記バックグラウンドの色定義を、前記セグメント領域を満たすように適用し、
英数字列を前記フォアグラウンドの色定義で前記セグメント領域に書き込んで、可変データ差分グロスイメージを生成する、
ことを特徴とする方法。
【請求項４】
可変データ差分グロスイメージ制御方法であって、
対象のイメージを主要領域と可変データのための予め選択された領域とに分割し、
異方性パターン構造により述べられる第１の単一の色を選択し、
前記予め選択された領域を前記第１の単一の色で可視化し、
述べられる異方性パターン構造のみが前記第１の単一の色と異なる第２の単一の色を選択し、
フォント、アウトライン（輪郭）、又は形状を選択し、
前記フォント、アウトライン又は形状を、前記予め選択された領域において前記第２の単一の色で可視化して、可変データ差分グロスイメージを生成する、
ことを特徴とする方法。
【発明の詳細な説明】
【技術分野】
【０００１】
本発明は、種々の実施形態において、一般には、絵画やテキストとなるイメージデータのハードコピーにおいて固有のグロス（グロスマーク（Glossmark)イメージ等の見る方向によって異なる画像等のイメージ）に関する。本発明は、さらに、ハーフトーンイメージデータに関し、更に、そのハーフトーンイメージデータがハードコピーとして印刷されるときの差分グロスイメージの制御に関する。
【背景技術】
【０００２】
文書の複写に対して保護する方法があるのが望ましい。最も望ましいのは、内容の一部を人は容易に読めるが複写機での複写はできなくなっていることである。このような解決法は、デジタル処理に要されるオーバーヘッド（処理時間）に与える影響を最小限にし、どのような必要記憶装置も最小限にするものであるのが望ましい。１つのアプローチは、イメージをクリア（透明な）トナー若しくはインクを用いて印刷し、紙をある角度で保持することによって人間の読者は見分けることができるが、そのページを直角に読むことに制限されている複写機のスキャナは検出できないような差分を反射光と拡散光に生成するというものである。かかるイメージを差分グロスイメージ又は差分グロスという。
【０００３】
【特許文献１】米国特許出願公開第２００３０２３１３４９号明細書
【特許文献２】米国特許出願公開第２００４００００７８６号明細書
【発明の開示】
【発明が解決しようとする課題】
【０００４】
発明者Ｓｈｅｎ−ｇｅ  Ｗａｎｇ、Ｂｅｉｌｅｉ  Ｘｕ等に付与された「ＨＡＬＦＴＯＮＥ  ＩＭＡＧＥ  ＧＬＯＳＳ  ＣＯＮＴＲＯＬ  ＦＯＲ  ＧＬＯＳＳＭＡＲＫＳ」という発明の名称の米国特許出願公開第２００３０２３１３４９号（特許文献１：本願明細書において参照され、その説明が本書に組み入れられる）に開示されるように、特別なトナー／インク又は紙／基体を必要とすることなく、また、視認できるようにするために、付加的なプリントの重ね合わせを必要とすることなく、グロスを制御し、グロスマーク差分グロスイメージの操作を可能にする構成及び方法が提供される。しかし、このような構成及び方法においては、通常必要とされる範囲を越えた付加的な電子処理が必要とされるのがつきものである。必要な記憶装置の増加もまた課されることになる。可変データに典型的なシナリオは、文書がハードコピー印刷される際に、可変データが、文書内に与えられたフィールドの中に挿入されることにより、郵便のちらしが「その場で」個人化される大量の郵便物の領域にある。当業者には明らかであるように、どのような行われないイメージデータ処理の消費時間も、容認できないほどの影響を印刷プロセスに与える。したがって、固有の差分グロスの操作のためにさらに改良された手法を与える変形態様により、このような要求される付加的な電子処理の影響を最小にすることが望ましい。
【０００５】
発明者Ｓｈｅｎ−ｇｅ  Ｗａｎｇ、Ｂｅｉｌｅｉ  Ｘｕ、及びＣｈｕ−ｈｅｎｇ  Ｌｉｕに付与された「ＶＡＲＩＡＢＬＥ  ＧＬＯＳＳＭＡＲＫ」という発明の名称の米国特許出願公開第２００４００００７８６号（特許文献２：本願明細書において参照され、その説明が本書に組み入れられる）に開示されるように、可変のＧｌｏｓｓｍａｒｋ（商標）データを与えるために、イメージを主要領域とイメージセグメントとに分割する構成及び方法が与えられる。配向が顕著に異なる異方性構造特性をもつハーフトーンを選択的に適用し、イメージセグメントに対しては同一の濃度を維持することにより、必要な処理及び記憶装置を減少させて、可変Ｇｌｏｓｓｍａｒｋ（商標）をイメージ内に重ね合わせることができる。しかし、ハードコピーページにおける可変データのＧｌｏｓｓｍａｒｋ（商標）領域の基本的な作成は（全体的な相関マークと同様に）、プライマリイメージを、バイナリマスクデータとしてＧｌｏｓｓｍａｒｋ（商標）シナリオにおいて必要として与えられる所望の可変イメージデータに組み合わせることによって開始せねばならない。バイナリマスクデータにより選択されるイメージ部分においては、一方のハーフトーンスクリーンが用いられる。イメージの他の部分においては、別のハーフトーンスクリーンが用いられる。このように、一方のデータチャネルがハーフトーン微細構造を制御し、他方のデータチャネルがイメージコンテンツを供給する、２つのデータチャネルを組み合わせる必要があることになる。複写機、プリンタ、多機能装置、又はデジタルプレス（印刷）に与えられるような標準的なＤＦＥ（デジタルフロントエンド）においては、これらのチャネルは、事実上、利用可能ではなく、ハーフトーン処理のために、このレベルでは一般にアクセス可能なＩＯＴ（イメージ出力ターミナル）へのアクセスも利用可能でないため、完全なＧｌｏｓｓｍａｒｋ（商標）又は相関マークをオフラインで作成し、挿入せねばならない。すべてのイメージは、外部で計算されねばならないため、このことは、可変データＧｌｏｓｓｍａｒｋ（商標）を、特に、大量の郵便物シナリオにおいて、その場でデジタルプレスにより作成するための能力を実際上妨げる。これは、データフロー、データの取り扱い、及びデータ帯域に幾つかの問題を生じさせる。ここで以下に、この問題を解決するためのアプローチを述べる。
【課題を解決するための手段】
【０００６】
本発明の実施形態では、可変データ差分グロスイメージ制御方法が開示される。この制御方法は、単一の色を選択し、第１の異方性構造配向を有する第１のハーフトーン並びにこの第１のハーフトーンのそれとは異なる第２の異方性構造配向を有する第２のハーフトーンを選択することを含む。次に、単一の色及び第１のハーフトーンで構成される第１の色定義が作成される。前記単一の色及び第２のハーフトーンで構成される第２の色定義もまた作成される。第１の色定義は、対象のイメージの少なくともある部分に適用され、第２の色定義は、該対象のイメージの残りの部分に適用されて、可変データ差分グロスイメージが生成される。
【０００７】
更に、本発明の実施形態では、可変データ差分グロスイメージ制御方法が開示される。この方法は、目的とする対象のイメージを主要領域とセグメント領域とに分割し、単一の色を選択することを含む。第１の異方性構造配向を有する第１のハーフトーンは、単一の色及び選択された第１のハーフトーンで構成される第１の色定義を作成するために選択される。第１のハーフトーンの異方性構造配向とは異なる第２の異方性構造配向を有する第２のハーフトーンは、前記単一の色及び選択された第２のハーフトーンで構成される第２の色定義を作成するために選択される。この後、第１の色定義をセグメント領域の少なくともある部分に適用し、第２の色定義を該セグメント領域の残りの部分に適用して、可変データ差分グロスイメージを生成する。
【０００８】
更に、本発明の実施形態では、可変データ差分グロスイメージ制御方法が開示される。この制御方法は、対象のイメージを主要領域と可変データのためのセグメント領域とに分割し、単一の色を選択することを含む。第１の異方性構造配向を有する第１のハーフトーンは、単一の色及び第１のハーフトーンで構成されるバックグラウンドの色定義を作成するために選択される。第１のハーフトーンの異方性構造配向とは異なる第２の異方性構造配向を有する第２のハーフトーンは、前記単一の色及び第２のハーフトーンで構成されるフォアグラウンドの色定義を作成するために選択される。この後、セグメント領域を満たすようにバックグラウンドの色定義を適用し、フォアグラウンドの色定義により英数字のストリング（列）を該セグメント領域に書き込んで、可変データ差分グロスイメージを生成する。
【０００９】
更に、本発明の実施形態では、可変データ差分グロスイメージ制御方法が開示される。この制御方法は、対象のイメージを主要領域と可変データのための予め選択された領域とに分割し、異方性パターン構造により述べられる第１の単一の色を選択することを含む。この後、前述の予め選択された領域を前述の第１の単一の色で可視化する。この方法は、さらに、述べられる異方性パターン構造だけが前述の第１の単一の色とは異なる第２の単一の色を選択することを含む。この後には、フォント、アウトライン（輪郭）、又は形状を選択し、前述のフォント、アウトライン、又は形状を、前述の予め選択された領域において前述の第２の単一の色で可視化して、可変データ差分グロスイメージを生成する。
【発明を実施するための最良の形態】
【００１０】
種々の異方性ハーフトーンドット構造間に固有の知覚差分グロスを適切に使用することにより、知覚グロスの所望される操作、及び、その差分グロスによるＧｌｏｓｓｍａｒｋ（商標）イメージの生成を特別な紙又は特別なトナー又はインクを必要とすることなく実現することができる。
【００１１】
図１は、どのようにして人間の目がページ上のグロスを読むことができ、スキャナは読むことができないかを示す。３つのグロス（トナーイメージ）領域１４が示されている。光源２からの光１０の１つの光線は、グロストナー１４が存在しないポイントで紙に衝突し、その反射光１３は、ほんの少量の光が、人間の目１に向かう方向も含むあらゆる方向に存在するように拡散される。等しい強度の光１１の他の光線は、グロストナー１４が存在するポイントで紙に接触する。ここでは、指示方向において、多量の反射光１２が存在する。人間の目１が図示のように位置している場合、人間の目１は、グロストナー領域１４と非グロストナー領域との間の大きな差分を容易に確認できる。しかしながら、位置３におけるスキャナ又は人間の目は紙に対して直角の入射光だけを読む。この場合は、グロス領域及び非グロスドット領域の双方から来る、ほんの少量の拡散光だけしか存在せず、スキャナは差分を検出することができない。これが、従来の複写機やスキャナによってはスキャンすることができないグロスイメージを生成する１つの方法である。
【００１２】
今までは、ハーフトーンの固有の反射及び拡散特性が、その性質上異方性であるようなハーフトーン構造を使用することによって、方位角のまわりで入射光が指向性となるよう操作され得るという事実は、ほとんど認識されていなかった。ミラーはミラーの平面に対する光源の方位角（アジマス）に関わらず等しく反射する。同様に、通常の何も書いていない紙は、光源の方位角に関わらず、等しく反射し拡散する。しかしながら、印刷物は、ハーフトーンの構造配向に対する光源の原点の方位角に依存して、異なる反射及び拡散特性をしばしば示す。最大化されたとき、このような反射特性は、その性質上異方性である構造を有したハーフトーンで示される。換言すれば、ハーフトーンドットから散乱され、若しくは、反射された光を表現するために使用されるインディカトリックス（屈折率楕円体）は、そのハーフトーンが異方性構造を有するときは、光源に対するハーフトーンドットの方位角配向に依存して最大限に変化する。図２は、異方性構造が何を意味するものかの一例である。
【００１３】
図２には、異方性の単純なラインスクリーンハーフトーンが、衝突する入射光２００に対して２つの配向、すなわち、並列配向と直角配向で存在する。双方のハーフトーンドット配向は、紙に対して垂直の角度における拡散光と入射光が等しくなるよう、濃度が同様となるように選択される。この方法では、スキャナ３への若しくは人間の目への、真っ直ぐから利用可能な光は同じである。しかしながら、鏡面反射光１２は、異方性並列配向２１０については相当に大きくなる。符号２１０の並列配向ハーフトーンの集団（マス）が符号２２０の直角配向ハーフトーンの集団（マス）に直接隣接して突き合わされて印刷された場合、反射光において、それらの間に差が存在し、それはある角度から見ると、グロス差分、すなわち、Ｇｌｏｓｓｍａｒｋ（商標）イメージにおけるシフトとして知覚される。このグロス差分の知覚は、ハーフトーン異方性配向が図２に示すように９０度離れているときに最大となるだろう。
【００１４】
図３は、３×６のハーフトーンパターン３１０及び３２０であって、当業者が本発明の教示を使用する実施形態で使用するのに適したハーフトーンセルの例を示す。これらは当業者には明らかなように単なる有用な一例である。各ハーフトーンセルは、３×６のピクセルアレイとして構成されている。ターンオン／オフ・シーケンスは、数値的に表示されている。ピクセルの番号付けが対角配向であることに注意されたい。タイプＡサブセル３１０とタイプＢサブセル３２０はともに、４５度の配向を有し、一方は右に向かうもの、もう一方は左に向かうものである。この配向は、図４の濃度スイープ４１０、４２０にはっきりと示されている。グロス差分の知覚を最大とするために、サブセルタイプＡとタイプＢの配向は、互いに９０度離して配置されている。
【００１５】
図５は、上述したように、ハーフトーンセルを用いて達成可能な、Ｇｌｏｓｓｍａｒｋ（商標）イメージ５００を示す。スクリーンＡ５１０は一方のハーフトーンセルタイプを用い、スクリーンＢ５２０はもう一方のハーフトーンセルタイプを用いる。円５０１は、イメージスクリーン５００、５１０、５２０の間の視覚面からの理解を助けるものとして設けたものである。所望のＧｌｏｓｓｍａｒｋ（商標）はここでは、イメージ５００の中央で知覚されるべき球５０２についてのものである。スクリーンＡ５１０は、右対角配向とされた異方性ハーフトーンのフィールドを与えるもの、スクリーン５２０は、左対角配向とされた異方性ハーフトーンセルの球形の領域を与えるものである。この方法で、Ｇｌｏｓｓｍａｒｋ（商標）５００を作り出すために、２つのスクリーンタイプの選択がともに寄せ集められる。
【００１６】
Ｇｌｏｓｓｍａｒｋ（商標）又は差分グロスイメージの組み立てのための別のアプローチが図６に示されている。ここでは、プライマリイメージ６００は、通常と同様に、デジタルフロントエンド（ＤＦＥ）６１０に対する入力データとして受け取られる。しかしながら、所望のＧｌｏｓｓｍａｒｋ（商標）イメージデータ６２０もまた、ＤＦＥ６１０への入力データとして受け取られる。処理されたイメージは、イメージ出力ターミナル（ＩＯＴ）６３０へ伝送される際には、通常と同様に、プライマリイメージ６００をハーフトーン処理したバイナリイメージである。しかしながら、ハーフトーンタイプの選択は、マルチプレクサスイッチ６４０への入力として、意図されるグロスイメージデータ６２０によって駆動される。意図されるグロス（グロスマーク）イメージデータ６２０は、第１異方性構造にしたハーフトーンを使用するためにプライマリイメージ６００の一部を指示する役割を果たす一方、プライマリイメージ６００の残りのために使用されるべき代替のハーフトーンを指示する。当業者によって理解されるように、意図されるグロスイメージデータ６２０は、必要ならば、ＤＦＥ６１０で、単なる０と１のピクセルデータ表示に平坦化されてもよい。この０と１のパターンはその後、マルチプレクサ６４０を一方の異方性構造配向タイプ若しくはもう一方へ選択を切り換えるために使用される。マルチプレクサ６４０はそれ故、所望のグロスイメージデータ６２０によって指示された通りに、スクリーン１タイプのハーフトーン６５０、若しくは、スクリーン２タイプのハーフトーンタイプ６６０の間で選択の切り換えを行って、ＩＯＴ６３０へ送られる際に、ラスタ入力処理された（ＲＩＰ）イメージデータ６２０の複合結果を作り出す。この方法で、パターン６２０の重ね合わせがプライマリイメージ６００へ埋込まれ、グロス差分Ｇｌｏｓｓｍａｒｋ（商標））イメージとしてのみ知覚され得る。
【００１７】
図７には、対象とするイメージ７００のごく小さなセグメントと、可変Ｇｌｏｓｓｍａｒｋ（商標）イメージセグメント７１０とのスワッピングが示されている。対象とする所与のイメージ７００のごく小さな領域が、Ｇｌｏｓｓｍａｒｋ（商標）イメージ形成の要求を満たすのに必要とされる場合、Ｇｌｏｓｓｍａｒｋ（商標）イメージの調節における処理時間及び記憶装置のオーバヘッドが増加するという問題を大きく改善することができる。イメージ７００のごく小さな領域がＧｌｏｓｓｍａｒｋ（商標）イメージ形成の対象とされている状態は多い。例えば、日付／時間スタンプは非常に一般的で普及しているイメージの付加物である。対象とする所望のイメージを見ながら視覚上あまり邪魔にならないようにして、こうした情報を使用できるようにすることは、より好ましいことであり、時間／日付スタンプ情報をＧｌｏｓｓｍａｒｋ（商標）イメージ形成することによって、これは容易に達成される。可変Ｇｌｏｓｓｍａｒｋ（商標）イメージセグメント７１０の利用は、そこに含まれるデータが本質的に短命であるか、又は頻繁に変化する場合に特に顕著に有益である。このような利用法の他のシナリオは、チケット又はクーポン、大量の郵便物における個人化情報のシリアル番号をＧｌｏｓｓｍａｒｋ（商標）イメージとして適応させることにあり、ジョブ処理／保全性番号、バーコード、法人商号又はロゴを含むことができる。このような利用法に適用されるグロスマークの形成は、シリアル番号又はその他の変化する印がトラッキングを可能にすると同時に、改ざん又は不正操作を阻止する。
【００１８】
図７に示されるように、対象とするイメージのデータ７００は、主要領域７０５と、イメージセグメント領域７１０とに分割される。主要領域７０５は、第１の異方性構造配向を有する第１のハーフトーンによって従来方式でハーフトーン処理される。しかし、イメージセグメント７１０では、ハーフトーン処理が図５及び図６について上述されたように実行される。可変Ｇｌｏｓｓｍａｒｋ（商標）イメージセグメント７１０は、セグメント領域に対応するイメージ７００からの入力データを利用する。これは、ＤＦＥへのプライマリイメージデータ６１０として利用される。入ってくる平坦なバイナリ可変Ｇｌｏｓｓｍａｒｋ（商標）データ、例えば、Ａでは、「Ｏｃｔｏｂｅｒ  ４，  ２００１」７２０が、マルチプレクサスイッチ６４０への入力として利用される。このように、可変Ｇｌｏｓｓｍａｒｋ（商標）イメージセグメント７１０は、第１の異方性構造配向を有する第１のハーフトーンと、第２の異方性構造配向を有する第２のハーフトーンとの両方によってハーフトーン処理される。この例では、可変Ｇｌｏｓｓｍａｒｋ（商標）イメージデータ７４０が結果的に生じる。一実施形態においては、Ｇｌｏｓｓｍａｒｋ（商標）データによってオーバーレイされることのないセグメメント領域７１０、すなわち、バックグラウンドは、主要イメージ領域７００に使用される第１のハーフトーンタイプによってハーフトーン処理される。別の実施形態では、バックグラウンドは第２の異方性構造配向を有する第２のハーフトーンによってハーフトーン処理される。
【００１９】
第２の例「Ｂ」においては、図７に表示されるように、同一の対象とするイメージのデータ７００と、イメージセグメント７１０とが使用される。しかしながら、Ｇｌｏｓｓｍａｒｋ（商標）データ７３０は「Ｏｃｔｏｂｅｒ  ５，  ２００１」である。すぐ上に述べたように、同じ手法を再度使用して、この例では可変Ｇｌｏｓｓｍａｒｋ（商標）データ７５０を結果として生じる。「Ａ」と「Ｂ」との双方の例では、可変Ｇｌｏｓｓｍａｒｋ（商標）イメージ７４０及び７５０はそれぞれ独立して、ハーフトーン化主要イメージの対象データ７０５と合体されて、それぞれシーケンスイメージ７６０及び７７０を作成する。すなわち、図７は一例として２つのＧｌｏｓｓｍａｒｋ（商標）イメージの日付スタンプを示しているにすぎないが、この方法が、所望され収容可能な記憶領域があれば、多数の可変Ｇｌｏｓｓｍａｒｋ（商標）イメージセグメントに対して適用可能であることは当業者には明らかである。
【００２０】
ハードコピーページにおける可変データＧｌｏｓｓｍａｒｋ（商標）領域の基本的な作成は（一般的な相関マークと同様に）、プライマリイメージを、Ｇｌｏｓｓｍａｒｋ（商標）シナリオにおいて要求されるようにバイナリマスクデータとして与えられる所望の可変イメージデータに組み合わせることによって開始せねばならない。バイナリマスクデータにより選択されるイメージ部分においては、１つのハーフトーンスクリーンが用いられる。イメージの他の部分においては、別のハーフトーンスクリーンが用いられる。このように、一方のデータチャネルがハーフトーンセルを制御し、他方のデータチャネルがイメージコンテンツを供給するという、２つのデータチャネルを組み合わせる必要があることになる。複写機、プリンタ、多機能装置、又はデジタルプレスに与えられるような標準的なＤＦＥ（デジタルフロントエンド）においては、これらのチャネルは、事実上利用可能ではなく、ハーフトーン処理のため、このレベルでは一般にアクセス可能なＩＯＴ（イメージ出力ターミナル）へのアクセスも利用可能でないために、完全なＧｌｏｓｓｍａｒｋ（商標）又は相関マークをオフラインで作成し、挿入せねばならない。すべてのイメージは、ＤＦＥの外部で計算され、レンダリング中にＥＰＳ（エンキャプシュレート・ポストスクリプト）などとして含まれねばならないため、このことは、可変データＧｌｏｓｓｍａｒｋ（商標）を、作成するための能力を実際上妨げる。これは、データフロー、データの取り扱い、及びデータ帯域に幾つかの問題を生じさせる。これは、データフロー、データの取り扱い、及びデータ帯域に幾つかの問題を生じさせる。ここでは、可変データコンテンツをフォントの列すなわちストリング（任意に形成される単一価のオブジェクト）に制限し、これによってパターン色空間を、可変データフロスマークを実施するための代替的な方法として用いることを可能にすることにより、この問題を解決するためのアプローチを述べる。
【００２１】
Ｇｌｏｓｓｍａｒｋ（商標）差分グロスイメージは、セルごとにハードコピーにおけるハーフトーン構造をスワッピングする又は切り換えることにより作成される。すなわち、一方がフィールドの一定部分のためのものであり、他方が可変データ部分のためのものである２つの異なる「色」定義の間でペイントする又は切り換えることにより上述の問題を克服する、可変データＧｌｏｓｓｍａｒｋ（商標）を作成する手法を用いることができる。各々の「色」定義は、その定義において、特定の独特なＧｌｏｓｓｍａｒｋ（商標）異方性ハーフトーン構造を含む一方で、その定義において、同一の通常の平均的な単一の色を含む。これらの「色」定義は、規範外の不規則なものである。古典的には、異なる色の定義は、区別できる異なる色の割り当てを有していても、同じ構造を保持している。ここでは、定義は、同じ色をもつが、異なる構造の割り当てを有するものとして定義される。工程においては、これらの「色」定義は、可変データソフトウェアが、特定のフィールドが特定のエントリを有するように用いられ、そのエントリは１つの（２つ又はそれ以上の中の）Ｇｌｏｓｓｍａｒｋ（商標）「色」定義であるように定められ、このフィールドのバックグラウンドは、現実的には、実際の色ではなくハーフトーン構造だけが異なる別のＧｌｏｓｓｍａｒｋ（商標）「色」定義である。この構成は、ＶＩＰＰ（登録商標）（可変データ・インテリジェンス・ポストスクリプト・プリントウェア）、及びＦｒｅｅＦｌｏｗ（登録商標）及びＤｏｃｕＳＰ（登録商標）のような他の種々の文書管理ソフトウェアのような標準的な可変データソフトウェアを用いて実施することができるという点で例示的である。しかし、したがって、提案される方法を用いるために、Ｇｌｏｓｓｍａｒｋ（商標）可変データ領域は、ちょうど相関マークの幾つかの形態に対しても当て嵌まるように、単一の色のみを有するグラフィックオブジェクトに限定しなくてはならないことになる。
【００２２】
ＰｏｓｔＳｃｒｉｐｔ（登録商標）においては、単一の色はユーザにより定義され、パターンとして作成されることができる(パターン色空間)。任意的な色を取り出し（Ｇｌｏｓｓｍａｒｋ（商標）の可視性に最適な色の選択は、発見的に行われる）、この色を２度ハーフトーン処理する。一度目は、第１の異方性ハーフトーンによりＧｌｏｓｓｍａｒｋ（商標）フォアグラウンドに対して、二度目は、第２の異方性ハーフトーンによりＧｌｏｓｓｍａｒｋ（商標）バックグラウンドに対して行う。これらの２つのパターンは、次いで、適当なＰｏｓｔＳｃｒｉｐｔ（登録商標）パターンに変換される（ＰＳオペレータ「ｍａｋｅｐａｔｔｅｒｎ」を用いて）。この変換は、正しいプリント解像度並びに正しいハーフトーンスクリーンの大きさのために行われる。
【００２３】
図８は、本書に与えられる教示を具現する、ハーフトーンセルの１つの例示的な図を示す。図８の２つの構造８００Ａ及び８００Ｂは、２つの異なる「色」定義として用いられる。ハーフトーンセル構造の各々は、異方性構造が与えられている。さらに、双方の構造８００Ａ及び８００Ｂは、通常通りに、ブラック（Ｋ）、ブルー（Ｂ）、シアン（Ｃ）、及びホワイト（Ｗ）ピクセルの各々が同一の量で構成された同一の色を示す。２つの構造８００Ａ及び８００Ｂが表わされた場合には、色が完全に同一であり、比較のために標準的な測定装置を用いて測定された場合には、例えば、標準的なＬ＊ａ＊ｂ＊値のようになる。しかし、２つの「色」定義は、これらが示す詳細な異方性パターン配向においては異なる。構造８００Ａの異方性配向は、左斜め４５度で配置され、構造８００Ｂの異方性配向は、右斜め４５度で配置される。当業者には理解されるように、図８のパターンは、サンプル実施形態として与えられ、ライン形式ハーフトーンに用いられるような、ここに与えられる教示の例として作成されたものである。或いは、ドット形式ハーフトーンを用いることができ、この場合には、ハーフトーンセル構造は、より丸い又は楕円形の形態になる。
【００２４】
この操作の結果は、ＰｏｓｔＳｃｒｉｐｔ（登録商標）及びＶＩＰＰ（登録商標）（可変データ・インテリジェンス・ポストスクリプト・プリントウェア）を通して呼ぶことができる２つの名前が付いた色の存在であり、単純にするために、これらの色は、「ＧｌｏｓｓＦｏｒｅＧｒｏｕｎｄ」及び「ＧｒｏｓｓＢａｃｋＧｒｏｕｎｄ」と呼ぶ。これらの２つの色は、事実上、色の付いたパターンであり、ＰｏｓｔＳｃｒｉｐｔ（登録商標）における処理に影響を与えることはない。当業者には理解されるように、ＰｏｓｔＳｃｒｉｐｔ（登録商標）においては、パターンは、ページの起点に対して位置合わせされ、ページ全体を満たすように複製される、すなわち、８×８又は１６×１６のパターンがページにわたり複製されることを指摘すべきである。起点に対してピクセル２７、１９で開始するオブジェクトは、ピクセル１１及び１３で開始する（２７ｍｏｄ１６、及び、１９ｍｏｄ１６）。
【００２５】
可変データＧｌｏｓｓｍａｒｋ（商標）差分グロスイメージは、ここで、結果として得られる所望のページ上の領域を定め、これをバックグラウンド（登録商標）「色」で満たすことにより生成される。ここでも、パターンの始点は、ページの起点により定められ、すなわち、どのようなパターンの変動も生じることはない。次いで、Ｇｌｏｓｓｍａｒｋ（商標）可変画像データが、フォアグラウンドＧｌｏｓｓｍａｒｋ（商標）「色」を用いて、この領域に単純に英数字のストリングを書き込むことにより、その四角形の中に書き込まれる。フォアグラウンド及びバックグラウンドの「色」は、ハーフトーンセルにわたり平均された場合に同一の色値を有するため、真っ直ぐ（垂直）に観察した場合には、領域全体は、人間に目には均一に見える。この領域がある角度で視認された場合には（正確な解像度で印刷されたとき）、Ｇｌｏｓｓｍａｒｋ（商標）可変データは、ハードコピーにおいて差分グロスイメージとして現れる。フォアグラウンドを述べるためにフォントを用いるが、どのような形状もフォントとして用いることができることに注意されたい。通常の形式は、Ｗｉｎｇｄｉｎｇｓ及びＬｏｇｏ  Ｆｏｎｔであるが、任意的な形状を作成し、フォントとして保存してもよい。さらに、この方法は、適当な色をもつ領域により定められるグラフィックオブジェクトと併せて容易に用いることができる。「フォント」という言葉が本明細書全体にわたり用いられるときは、Ｐｏｓｔｓｃｒｉｐｔ（登録商標）フォントとして定められた任意的な形状、並びに、単色のグラフィックオブジェクトを含むことを意図する。
【００２６】
詳細には、上述のサンプルは、以下の１）〜７）のステップによって生成される。
１）色空間を「パターン（ＰｏｓｔＳｃｒｉｐｔ（登録商標）オペレータ「ｓｅｔｃｏｌｏｒｓｐａｃｅ」）」として設定する。
２）バックグラウンド色をＧｌｏｓｓｍａｒｋ（商標）バックグラウンド色（ＰｏｓｔＳｃｒｉｐｔ（登録商標）オペレータ「ｓｅｔｃｏｌｏｒ」）に選択する。例えば、図８における第１のパターン８００Ａ。
３）ＰｏｓｔＳｃｒｉｐｔ（登録商標）「ｒｅｃｔｉｌｌ」オペレータを用いて、四角形（その他のあらゆる形状）を作成し、現在の色（パターン）で満たす。
４）四角形内の点に位置決めする（ＰｏｓｔＳｃｒｉｐｔ（登録商標）オペレータ「ｍｏｖｅｔｏ」）。
５）フォントを選択し、これを現在のフォントにする（ＰｏｓｔＳｃｒｉｐｔ（登録商標）オペレータ「ｆｉｎｄｆｏｎｔ」「ｓｃａｌｅｆｏｎｔ」「ｓｅｔｆｏｎｔ」）。
６）この色に対して２つのパターンのうちの他方を選択する（ＰｏｓｔＳｃｒｉｐｔ（登録商標）オペレータ「ｓｅｔｃｏｌｏｒ」）。例えば、図８における第２のパターン８００Ｂ。
７）ＰｏｓｔＳｃｒｉｐｔ（登録商標）オペレータ「ｓｈｏｗ」を用いて現在の色（パターン）を用いてテキストを示す。
【００２７】
可変データに対して用いられるＶＩＰＰ（登録商標）（可変データ・インテリジェンス・ポストスクリプト・プリントウェア）ソフトウェアモジュールのＰｏｓｔＳｃｒｉｐｔ（登録商標）プリプロセッサのような特定のアプリケーションは、すでにＰｏｓｔＳｃｒｉｐｔ（登録商標）パターンの色空間の使用を支持しており、ＶＩＰＰ（登録商標）は、このアプローチを明示するのに用いられている。パターンを支持しない他のアプリケーションにおいては、ＰｏｓｔＳｃｒｉｐｔ（登録商標）インタープリタに、ＰｏｓｔＳｃｒｉｐｔ（登録商標）の標準的な色空間の過負荷解釈をもたせて（例えば、ＤｅｖｉｃｅＣＭＹＫ、ＤｅｖｉｃｅＲＧＢ、Ｓｅｐａｒａｔｉｏｎｓなど）、ＰｏｓｔＳｃｒｉｐｔ（登録商標）「ｓｅｔｃｏｌｏｒ」の実施が、その色が、選択したパターンの１つにマップされるべきであるかどうかをチェックするようにする。例えば、ＲＧＢ値０．９９５、０．９９５、０．９９５（非常に明るいグレイ）をもつ色をインタープリタ内でパターン色の１つで置き換えることができる。このことは、もちろん、このＲＧＢ色のグラフィカル及びテキスト工程における通常の使用を阻止する（依然としてイメージについては利用可能である）。各色に対して２つのパターンを有するため、更に、他のパターンで置き換えられる別のＲＧＢ色（例えば、０．９９０、０．９９５、０．９９５の値をもつ）を有することが必要である。このオペレータ過負荷技術は、ＰｏｓｔＳｃｒｉｐｔ（登録商標）における一般的な機能呼び出しである。当業者であれば、ポストスクリプトの述語において教示された上述の説明は、多数の他のＰＤＬ（ページ記述言語）ソフトウェアパッケージ及び環境のどれにも適用可能な技術を示すことが明らかである。
【００２８】
上述の方法は、可変データＧｌｏｓｓｍａｒｋ（商標）ハードコピーを作成するための効率的かつ好都合な方法である。この方法は、さらに、既存のワークフロー及びハードウェアと両立性があるという点で例示的である。この方法は、さらに、この手法が、ＤＦＥに対して付加的な負担を課さず、したがって、機械又は印刷システムのフルスピードの作動を可能にするという点で例示的である。しかし、当業者には理解されるように、パターン構造に対する可変データオブジェクトデータの整合に留意せねばならない。（ここで述べられる整合とは、セル境界と整合されるべき２つの異なるスクリーン間の遷移領域における整合のことであり、フォアグラウンド及びバックグラウンドのパターン整合は、上述のように自動的に達成されることに注意されたい。）したがって、少なくとも１つの実施形態においては、イメージのアーチファクトを避けるように、ＤＦＥにダウンロードされたビットマップフォントを用いることが望ましいとすることができる。これにより、ストリング位置は、より容易にセルパターン境界と整合される。このアプローチは、得ることができるフォントにおける微細詳細構造（セリフ）の幾つかを制限する。しかし、これらの微細構造は、人間の視覚系の制限のために、いずれにしても、Ｇｌｏｓｓｍａｒｋ（商標）差分グロスイメージにおいては、典型的には視覚的に知覚できるものではない。
【図面の簡単な説明】
【００２９】
【図１】どのようにして、人間の目が、スキャナ検出器にはできないページの差分グロス部分間の大きな差分を検出できるのかを示す説明図である。
【図２】単一のラインスクリーンハーフトーンで見られる差分グロスを示す図である。
【図３】本発明を実行するため識別可能なグロス差分を作り出すための、異方性構造に適した２つの３×６ハーフトーンパターンを示す図である。
【図４】図３の２つのハーフトーンパターンの濃度の広がりを示す図である。
【図５】グロスマークを達成するための、図３の２つのハーフトーンパターンの代替のパッチワークを示す図である。
【図６】図３のハーフトーンパターンを用いて、図５に示すようなＧｌｏｓｓｍａｒｋ（商標）のためのハーフトーンパターンのイメージ指示の代替を達成する１つの実施形態を示すブロック図である。
【図７】対象とするイメージの小さい部分と可変グロスマークイメージセグメントとのスワッピングの視覚化を示す説明図である。
【図８】各々が同一の色を含むが、それにも関わらず、互いに９０度回転させて区別できる、異なる異方性構造を含む、２つの異なるライン形式ハーフトーンセルの「色」定義を示す図である。
【符号の説明】
【００３０】
１：人間の目
２：光源
３：スキャナ
１０：光
１１：光
１２：反射光
１３：反射光
１４：グロストナー
６００：プライマリイメージ
６１０：デジタルフロントエンド
６２０：グロスマークイメージデータ
６３０：イメージ出力ターミナル（ＩＯＴ）
６４０：マルチプレクサスイッチ
【図１】
2006101514.tif 000003
【図２】
2006101514.tif 000004
【図３】
2006101514.tif 000005
【図４】
2006101514.tif 000006
【図５】
2006101514.tif 000007
【図６】
2006101514.tif 000008
【図７】
2006101514.tif 000009
【図８】
2006101514.tif 000010